(57)【要約】【課題】手洗い器や配管類などがケース内に収まり、且つ便器をケースと隙間なく略一体的に設けて密閉ユニット化し、強度と安全性を高める。【解決手段】箱型ケース２内に、給水管路に接続される一次配管３と、便器側管路に接続される二次配管４と、手洗い器１１と、一次配管３と手洗い器１１とを導水接続させる導水管５と、手洗い器側管路に接続される手洗い器側排水管１３とを有し、ケース２前面の上部区画に、便器側操作ボタン７を突出させる便器側操作孔２０と、手洗い器側操作ボタン１０を突出させる手洗い器側操作孔２１と、手洗い口２２とを備え、さらに、ケース２前面の下部区画に、便器側管路を内部に有するとともにケース２外においてこのケースと隙間なく略一体的に設けられた便器４０を備える。【選択図】図１
2008261156.tif 000002
【特許請求の範囲】
【請求項１】
箱型のケース内に、ケース外の給水管路に接続される一次配管と、便器側管路に接続される二次配管と、手洗い器と、前記一次配管と前記手洗い器とを導水接続させる導水管と、ケース外の手洗い器側管路に接続される手洗い器側排水管と、を有し、
前記ケースの前面の上部区画に、前記二次配管に水を流すための便器側操作ボタンを突出させる便器側操作孔と、前記一次配管からの水を前記手洗い器に流すための手洗い器側操作ボタンを突出させる手洗い器側操作孔と、前記手洗い器内に手を差し入れることができる手洗い口と、を備え、
前記ケースの前面の下部区画に、前記便器側管路を内部に有し、且つ前記ケース外において該ケースと隙間なく略一体的に設けられている便器と、を具備することを特徴とするトイレ装置。
【請求項２】
前記ケースの前記上部区画は、取り外し可能な上部パネルにより形成され、
前記ケースの前記下部区画は、前記上部パネルを取り外した後に前記便器を設置位置に残したまま上方にスライドさせて取り外すことが可能な下部パネルにより形成されていることを特徴とする請求項１記載のトイレ装置。
【請求項３】
前記ケース内に、前記下部パネルのスライド移動をガイドするガイド部材が設けられていることを特徴とする請求項２記載のトイレ装置。
【請求項４】
前記ケース内において、前記一次配管と前記二次配管とが便器側バルブを介して導水接続され、前記導水管の途中には手洗い器側バルブが介設されていることを特徴とする請求項１〜３の何れか１つに記載のトイレ装置。
【発明の詳細な説明】
【技術分野】
【０００１】
本発明は、トイレ室内に設置される手洗い器を備えたトイレ装置に関する。
【背景技術】
【０００２】
トイレ室内などに設置されるトイレ装置には、図５に示すように、便器１０１と、便器１０１に洗浄水を供給するタンク１０２と、を備えたものが普及している。タンク１０２の上部には、逆Ｕ字形（グースネック）の吐水部１０４を備えた手洗い器１０３が設けられている。また、図５に示すようなトイレ装置１００は、トイレ室の内壁面Ｗからタンク１０２に水を供給するための水道管１０５を突出させている。
【０００３】
また、例えば、下記特許文献１に開示されるような手洗い器付きトイレがある。このトイレも、上述した図５のトイレ装置同様に、便器後方に手洗い器を備えている。手洗い器は、少なくとも底面部と、左右の側面部と、背面部とから構成されており、背面部に吐水口が設けられ、且つ底面部に排水口が設けられている。さらに、側面部と背面部との交差する部分には、小物を載置することができる奥側上縁部が設けられている。また、手洗い器は、便器に洗浄水を供給するタンクの上部に設けられ、且つタンクはキャビネットに隠蔽され、このキャビネットの上部に手洗い器が載置されている。
【特許文献１】特開２００２−２７６００４号公報
【発明の開示】
【発明が解決しようとする課題】
【０００４】
しかしながら、上述したような従来のトイレ装置１００では、図５に示すように、手洗い器１０３、吐水部１０４、水道管１０５などが露出しているため、これら手洗い器１０３、吐水部１０４、水道管１０５が悪戯などによって取り外されたり、破壊されたりすることがあった。
【０００５】
また、上記特許文献１に開示される手洗い器付きトイレは、タンクや、排水口に接続される排水管などがキャネットに隠蔽されており外部にあらわれないが、それでも、手洗い器には依然として吐水部などの突起部分が残っているため、取り外されたり、破壊される危険性があった。
【０００６】
さらに、余計な突起部分があることで、何かの拍子に人体を傷つけてしまう可能性もあった。
【０００７】
そこで本発明は、上記状況に鑑みてなされたもので、破壊防止と安全のために、手洗い器や配管類などが箱型のケース内に収まり、且つ便器がケースと隙間なく略一体的に設けられて密閉ユニット化されたトイレ装置を提供することを目的としている。
【課題を解決するための手段】
【０００８】
次に、上記の課題を解決するための手段を、実施の形態に対応する図面を参照して説明する。
本発明の請求項１記載のトイレ装置は、箱型のケース２内に、ケース２外の給水管路に接続される一次配管３と、便器側管路４１に接続される二次配管４と、手洗い器１１と、前記一次配管３と前記手洗い器１１とを導水接続させる導水管５と、ケース２外の手洗い器側管路に接続される手洗い器側排水管１３と、を有し、
前記ケース２の前面の上部区画に、前記二次配管４に水を流すための便器側操作ボタン７を突出させる便器側操作孔２０と、前記一次配管３からの水を前記手洗い器１１に流すための手洗い器側操作ボタン１０を突出させる手洗い器側操作孔２１と、前記手洗い器１１内に手を差し入れることができる手洗い口２２と、を備え、
前記ケース２の前面の下部区画に、前記便器側管路４１を内部に有し、且つ前記ケース２外において該ケース２と隙間なく略一体的に設けられている便器４０と、を具備することを特徴としている。
【０００９】
請求項２記載のトイレ装置は、前記ケース２の前記上部区画は、取り外し可能な上部パネル２Ｂにより形成され、
前記ケース２の前記下部区画は、前記上部パネル２Ｂを取り外した後に前記便器４０を設置位置に残したまま上方にスライドさせて取り外すことが可能な下部パネル２Ｃにより形成されていることを特徴としている。
【００１０】
請求項３記載のトイレ装置は、前記ケース２内に、前記下部パネル２Ｃのスライド移動をガイドするガイド部材２３ｃが設けられていることを特徴としている。
【００１１】
請求項４記載のトイレ装置は、前記ケース２内において、前記一次配管３と前記二次配管４とが便器側バルブ６を介して導水接続され、前記導水管５の途中には手洗い器側バルブ９が介設されていることを特徴としている。
【発明の効果】
【００１２】
本発明によるトイレ装置によれば、手洗い器や、手洗い器及び便器に水を供給するための配管類などが箱型のケース内に収まり、且つ便器がケースと隙間なく略一体的に設けられていることによって装置を密閉ユニット化することができる。これにより、手洗い器や配管類などが露出しないため、これらが取り外されたり破壊されることを防ぐことができる。また、トイレ装置（ケース）から余計な突起部分が無くなり、例えば突起部分によって人体が傷つくことも無くなり、安全に使用できるようになる。また、装置をユニット化することで設置が容易となる。
【００１３】
また、ケースの前面の上部及び下部パネルがそれぞれ取り外し可能であるため、ケース内の清掃や、ケース内に収まっている手洗い器や配管類などの保守管理を容易に行うことができるようになる。特に、ケースの下部区画において、便器を設置位置に残したまま下部パネルを取り外せるため、便器を取り外すことなくケース内の下部にある各管路側の保守管理を行うことができる。
【００１４】
さらに、一次配管と二次配管とが導水接続されており、上流側となる一次配管からの水を便器洗浄に使用することができる。また、手洗い器にも一次配管からの水を供給することができ、便器と手洗い器の両方に適当な水勢の水を流すことが可能となる。
【発明を実施するための最良の形態】
【００１５】
以下、本発明の実施の形態を図面を参照して具体的に説明する。図１は本発明によるトイレ装置の一実施の形態を示す斜視図、図２は上部パネルを取り外した状態を示す斜視図、図３は下部パネルを取り外す途中の状態を示す斜視図、図４は下部パネルを取り外した状態を示す斜視図である。
【００１６】
図１〜４に示すように、この実施の形態のトイレ装置１は、トイレ室の内壁面Ｗに装置背面を当接させて設置され、箱型のケース２内に一次配管３、二次配管４などの配管類や、手洗い器１１などがコンパクトに組み込まれている。また、ケース２の前面には、各操作ボタン７，１０、手洗い口２２、便器４０が設けられている。なお、このトイレ装置１が設置される室内には、トイレ装置１の設置位置に図示しない給水管路、便器側排水管路、手洗い器側排水管路が予め敷設されている。
【００１７】
まず、ケース内の配管類や手洗い器などについて説明する。
図２に示すように、ケース２内には、一次配管３と、二次配管４とが配設されている。一次配管３は、水道源からケース２内に給水させるための前記給水管路（不図示）に接続され、二次配管４は、後述する便器側管路４１に接続されている。また、一次配管３と二次配管４とは、ケース２内において便器側バルブ６を介して導水接続されている。さらに、一次配管３から導水管５が分岐して設けられ、一次配管３と手洗い器１１とを導水接続させている。また、導水管５の途中には手洗い器側バルブ９が介設されている。
【００１８】
便器側バルブ６として、本実施の形態ではフラッシュバルブを採用しており、便器側操作ボタン７と接続管８を介して接続されている。また、便器側バルブ６は、便器側操作ボタン７の押動操作によって、接続管８内に圧力水が流れて弁を開放させる。これにより、一次配管３の水が二次配管４に供給される。なお、便器側バルブ６には、フラッシュバルブに限らず、電磁バルブや電動バルブなど他のバルブを用いてもよい。
【００１９】
手洗い器側バルブ９は、手洗い器側操作ボタン１０に直結され、手洗い器側操作ボタン１０の押動操作によって弁を直接開放させる。これにより、一次配管３からの水が導水管５を介して手洗い器１１に流れる。
【００２０】
手洗い器１１は、前面が開口した略矩形の箱型に形成されている。また、手洗い器１１の上部には吐水口１２ａが設けられている。さらに、手洗い器１１の下面には排水口１２ｂが設けられ、臭気止めのためのＳ字トラップ１３ａを有する手洗い器側排水管１３を介してケース２外の前記手洗い器側排水管路（不図示）と接続されている。
【００２１】
また、図１に示すように、箱型のケース２内には密閉空間が形成されている。この場合、ケース２自体を密閉箱型に形成してもよいが、ケース２の後面を開口形成し、設置状態においてケース２の後面に当接するトイレ室の内壁面Ｗを利用した密閉空間としてもよい。この結果、トイレ装置１の軽量化を図ることができる。なお、ケース２の上面は、人がケース２に上れないように後面側から前面側にかけて緩やかに下り傾斜している。これにより、思わぬ事故を未然に防ぐことができる。
【００２２】
図２に示すように、ケース２の前面の上部区画は、ケース本体２Ａから取り外し可能な上部パネル２Ｂにより形成されている。また、上部パネル２Ｂは、ケース２の上部区画の他、ケース２の上面の略半部も形成している。上部パネル２Ｂは、図示しない取付けネジによってケース本体２に取り付けられている。さらに、上部パネル２Ｂには、便器側操作孔２０と、手洗い器側操作孔２１と、手洗い口２２とが形成されている。また、ケース本体２Ａの前面側には、この上部パネル２Ｃのケース本体２Ａへの取り付けをガイドするためのガイド部材２３ａ〜２３ｃが設けられている。
【００２３】
便器側操作孔２０は、前記便器側操作ボタン７と対応する位置に形成されるとともに、便器側操作ボタン７を挿通可能に形成されている。また、便器側操作孔２０は、便器側操作ボタン７を上部パネル２Ｂの表面から僅かに突出させている。
【００２４】
手洗い器側操作孔２１は、前記手洗い器側操作ボタン１０と対応する位置に形成されるとともに、手洗い器側操作ボタン１０を挿通可能に形成されている。さらに、上述した便器操作孔２０同様に、手洗い器側操作ボタン１０を上部パネル２Ｂの表面から僅かに突出させている。
【００２５】
手洗い口２２は、ケース２内に設けられている前記手洗い器１１の開口と対応する位置に形成されている。また、手洗い口２２は、手洗い器１１の開口に手を差し入れやすいように、この開口と略同等の形状（略矩形状）に形成されている。
【００２６】
図３，４に示すように、ケース２の前面の下部区画は、上方にスライドさせて、ケース本体２Ａから取り外し可能な下部パネル２Ｃにより形成されている。また、ケース本体２Ａに設けられた前記ガイド部材２３ａ〜２３ｃのうち、上部区画と下部区画の間にあるガイド部材２ｃは、下部パネル２Ｃのスライド移動をガイドする機能も備えている。さらに、下部パネル２Ｃには、取付け状態において前記二次配管４と便器側管路４１との接続を干渉しないように切欠き３０が形成されている。また、切欠き３０の上端縁には二次配管４を一定位置に保持するための略半円形の切欠き（保持部３１）が形成されている。なお、下部パネル２Ｃも上述した上部パネル２Ｂと同様に、図示しない取付けネジによってケース本体２に取り付けられている。さらに、下部区画には便器４０が設けられている。
【００２７】
便器４０は、略一体形成された固定式のものであり、内部に前述した便器側管路４１を有している。なお、便器側管路４１は、上述したように一端側が二次配管４と接続され、他端側がケース２外の前記便器側排水管路（不図示）と接続されている。また、便器４０の便座部分４２には、樹脂製のものを使用し、使用時の快適性を向上させている。さらに、便器４０をケース本体２Ａに取り付けたとき便器４０後部の周囲に生じる隙間は、下部パネル２Ｃによって閉塞され、この結果、便器４０はケース２と略一体となる。
【００２８】
以下、図２〜４を参照してケース本体から上部及び下部パネルを取り外すときの手順を説明する。
まず、図２に示すように、各取付けネジ（不図示）を外してケース本体２Ａから上部パネル２Ｃを取り外す。次に、図３に示すように、各取付けネジ（不図示）を外した後、下部パネル２Ｃを上方にスライドさせる。このとき、下部パネル２Ｃの上方には上部パネル２Ｂを取り外して生じたスペースがあるため、下部パネル２Ｃはスライド移動可能となる。そして、図４に示すように、ケース本体２Ａから下部パネル２Ｃを取り外す。このとき、便器４０は設置位置に残っており、二次配管４と便器側管路４１とは接続されたままの状態である。
【００２９】
なお、上述した手順を逆から行うことで、各パネル２Ｂ，２Ｃをケース本体２Ａに取り付けることができる。
【００３０】
また、この実施の形態のトイレ装置１を使用する場合には、使用者は便器４０で用便後、便器側操作ボタン７を押動操作する。この操作によって、便器側バルブ６が開放され、給水管路に連なる一次配管３から二次配管４に一気に多量の水が流れて、排泄物を便器側排水管路へと押し流す。その後、手洗い器側操作ボタン１０を押動操作することで手洗い器側バルブ９が開放され、一次配管３からの水が導水管５を介して手洗い器１１へと流れ、その水で使用者は手を洗浄する。
【００３１】
上述した実施の形態によれば、手洗い器１１や、手洗い器１１及び便器４０に水を供給するための一次配管３、二次配管４、導水管５などが箱型のケース２内に収まり、且つ便器４０がケース２と隙間なく略一体的に設けられていることによって装置１を密閉ユニット化することができる。これにより、手洗い器１１などが露出しないため、これらが取り外されたり破壊されることを防ぐことができる。また、トイレ装置１から余計な突起部分が無くなり、例えば突起部分によって人体が傷つくことも無くなり、安全に使用できるようになる。また、装置１をユニット化することで設置が容易となる。
【００３２】
また、上部及び下部パネル２Ｂ，２Ｃをケース本体２Ａから取り外せることで、ケース２内の清掃や、ケース２内に収まっている手洗い器１１や配管類などの保守管理を容易に行うことができるようになる。特に、ケース２の下部区画において、便器４０を設置位置に残したまま下部パネル２Ｃを取り外せるため、便器４０を取り外すことなくケース２内の下部にある給水管路、手洗い器側排水管路などの保守管理を行うことができる。なお、下部パネル２Ｃの取り外しは、上部区画と下部区画の間のガイド部材２３ｃによってスムーズに行われる。
【００３３】
さらに、上流側となる一次配管３からの水を便器４０洗浄に使用することができ、手洗い器１１にも一次配管３からの水を供給することができ、この結果、便器４０と手洗い器１１の両方に適当な水勢の水を流すことが可能となる。
【００３４】
なお、上述した実施の形態では、一次配管３と二次配管４とが導水接続され、便器４０に一次配管３の水が流れる構成としているが、例えば、二次配管４に雑用水が供給されるように配管構成し、便器４０洗浄のために雑用水を使用するようにしてもよい。
【図面の簡単な説明】
【００３５】
【図１】本発明によるトイレ装置の一実施の形態を示す斜視図である。
【図２】同実施の形態から上部パネルを取り外した状態を示す斜視図である。
【図３】同実施の形態から下部パネルを取り外す途中の状態を示す斜視図である。
【図４】同実施の形態から下部パネルを取り外した状態を示す斜視図である。
【図５】従来のトイレ装置を示す図である。
【符号の説明】
【００３６】
１…トイレ装置
２…ケース
２Ｂ…上部パネル
２Ｃ…下部パネル
３…一次配管
４…二次配管
５…導水管
６…便器側バルブ
７…便器側操作ボタン
９…手洗い器側バルブ
１０…手洗い器側操作ボタン
１３…手洗い器側排水管
２０…便器側操作孔
２１…手洗い側操作孔
２２…手洗い口
２３ｃ…ガイド部材
４０…便器
４１…便器側管路
Ｗ…内壁面
【図１】
2008261156.tif 000003
【図２】
2008261156.tif 000004
【図３】
2008261156.tif 000005
【図４】
2008261156.tif 000006
【図５】
2008261156.tif 000007